(57)【要約】【課題】低コストで、複数ユニット間通信を複雑化させることなく、ワイヤードリモコンアドレス等の現地設定情報を再設定すること。【解決手段】本発明の空気調和機のメンテナンスシステムは、室内機と、室内機に接続されたワイヤーリモコンとを備え、ワイヤードリモコンのメンテナンス時、交換前のワイヤードリモコン不揮発性記憶装置から現地設定内容を読み出し、読み出した現地設定内容を、交換後のワイヤードリモコン不揮発性記憶装置に書き込みを行うことにより、低コストで、複数ユニット間通信を複雑化させることなく、ワイヤードリモコンアドレス等の現地設定情報を再設定する。【選択図】図１
2012242033.tif 000002
【特許請求の範囲】
【請求項１】
室内機と、前記室内機に接続されたワイヤーリモコンとを備え、前記ワイヤードリモコンのメンテナンス時、交換前のワイヤードリモコン不揮発性記憶装置から現地設定内容を読み出し、読み出した現地設定内容を、交換後のワイヤードリモコン不揮発性記憶装置に書き込みを行うことを特徴とした空気調和機のメンテナンスシステム。
【請求項２】
ワイヤードリモコン不揮発性記憶装置に、ワイヤードリモコンの現地設置状況に合った運転を行うように現地設定を行う現地設定装置を備えた請求項１に記載の空気調和機のメンテナンスシステム。
【発明の詳細な説明】
【技術分野】
【０００１】
本発明は、ワイヤードリモコン制御装置を交換する際、交換前の制御装置の現地設定内容を、交換後の制御装置に低コストで、通信を複雑化させることなく、ワイヤードリモコン、室内機の制御装置を同時交換する際にも、確実に再設定することが可能な空気調和機のメンテナンスシステムに関するものである。
【背景技術】
【０００２】
従来、この種の空気調和機は、ワイヤードリモコン制御装置に不揮発性記憶装置がはんだ付けされており、不揮発性記憶装置自体の交換が不可能なため、ワイヤードリモコンアドレス等の現地設定情報を予め紙に記載しておき、ワイヤードリモコン制御装置を交換する際、予め現地設定情報を記載しておいた紙を見ながら再設定を行うものがあった。また、ワイヤードリモコンアドレス等の現地設定情報をワイヤードリモコンと室内機間通信にて室内機に送信し、室内機の不揮発性記憶装置に記憶させ、ワイヤードリモコンの制御装置を交換し、交換後のワイヤードリモコンを室内機と接続することで室内機がワイヤードリモコンアドレス等の現地設定情報をワイヤードリモコンに送信し、ワイヤードリモコンアドレス等の現地設定情報を再設定するものもあった（例えば、特許文献１参照）。
【０００３】
図３は特許文献１に記載された従来の空気調和機のメンテナンスシステムを示すものである。図３に示すように、ワイヤードリモコン５は複数台の室内機４１Ａ〜４１Ｃと一対の通信線で接続され、ワイヤードリモコンＣＰＵ５１と、ワイヤードリモコン不揮発性記憶装置５２と、ワイヤードリモコン現地設定装置５３と、室内機ＣＰＵ４４Ａ〜４４Ｃと、室内機不揮発性記憶装置４２Ａ〜４２Ｃから構成されている。
【先行技術文献】
【特許文献】
【０００４】
【特許文献１】特開２００２−０９９３０４号公報
【発明の概要】
【発明が解決しようとする課題】
【０００５】
しかしながら、前記従来の構成では、予めワイヤードリモコンアドレス等の現地設定情報を記載しておいた紙を紛失した場合、ワイヤードリモコンアドレス等の現地設定情報を再設定不可能となる。
【０００６】
また、ワイヤードリモコンアドレス等の現地設定情報を室内機に記憶するには膨大な不揮発性記憶装置が必要となり、コストがかかると共に、ワイヤードリモコンと室内機間通信が複雑となる。
【０００７】
さらには、ワイヤードリモコンアドレス等の現地設定情報を再設定するためには、室内機との接続が必要となり、ワイヤードリモコン、室内機の制御装置を同時に交換する必要がある際には、再設定できないという課題を有していた。
【０００８】
本発明は上記従来の課題を解決するもので、はんだ付けされたワイヤードリモコン制御装置の不揮発性記憶装置に対し、情報再設定装置が電源を供給し、ワイヤードリモコンアドレス等の現地設定情報を読み出し、書き込みを行うことで、低コストで、複数ユニット間通信を複雑化させることなく、ワイヤードリモコンアドレス等の現地設定情報を再設定することができる。さらには、ワイヤードリモコン制御装置時、室内機と接続する必要がないことから、ワイヤードリモコン、室内機の制御装置を同時交換する際にも、確実にワ
イヤードリモコンアドレス等の現地設定情報を再設定することができる空気調和機のメンテナンスシステムを提供することを目的とする。
【課題を解決するための手段】
【０００９】
前記従来の課題を解決するために、本発明の空気調和機のメンテナンスシステムは、室内機と、室内機に接続されたワイヤーリモコンとを備え、ワイヤードリモコンのメンテナンス時、交換前のワイヤードリモコン不揮発性記憶装置から現地設定内容を読み出し、読み出した現地設定内容を、交換後のワイヤードリモコン不揮発性記憶装置に書き込みを行うことにより、低コストで、複数ユニット間通信を複雑化させることなく、ワイヤードリモコンアドレス等の現地設定情報を再設定することができる。さらには、室内機と接続する必要がないため、ワイヤードリモコン、室内機の制御装置を同時交換する際にも、確実に室内機のアドレス等の現地設定情報を再設定することができる。
【発明の効果】
【００１０】
本発明は、低コストで、複数ユニット間通信を複雑化させることなく、ワイヤードリモコンアドレス等の現地設定情報を再設定することができる。
【図面の簡単な説明】
【００１１】
【図１】本発明の実施の形態１における空気調和機のメンテナンスシステムのシステム構成図
【図２】本発明の実施の形態２における空気調和機のメンテナンスシステムのシステム構成図
【図３】従来の空気調和機のメンテナンスシステムのシステム構成図
【発明を実施するための形態】
【００１２】
第１の発明の空気調和機のメンテナンスシステムは、室内機と、室内機に接続されたワイヤーリモコンとを備え、ワイヤードリモコンのメンテナンス時、交換前のワイヤードリモコン不揮発性記憶装置から現地設定内容を読み出し、読み出した現地設定内容を、交換後のワイヤードリモコン不揮発性記憶装置に書き込みを行うことにより、低コストで、複数ユニット間通信を複雑化させることなく、ワイヤードリモコンアドレス等の現地設定情報を再設定することができる。さらには、室内機と接続する必要がないため、ワイヤードリモコン、室内機の制御装置を同時交換する際にも、確実に室内機のアドレス等の現地設定情報を再設定することができる。
【００１３】
第２の発明の空気調和機のメンテナンスシステムは、特に第１の発明において、ワイヤードリモコン不揮発性記憶装置に、ワイヤードリモコンの現地設置状況に合った運転を行うように現地設定を行う現地設定装置を備えたことにより、ワイヤードリモコン制御装置のワイヤードリモコン現地設定装置が不要となり、更なる低コスト化が実現できる。
【００１４】
以下、本発明の実施の形態について、図面を参照しながら説明する。なお、この実施の形態によって本発明が限定されるものではない。
【００１５】
（実施の形態１）
図１は、本発明の第１の実施形態における空気調和機のメンテナンスシステムのシステム構成図を示すものである。
【００１６】
図１において、設定情報再設定装置１は、再設定不揮発性記憶装置１３、不揮発性記憶装置書き込み手段１１、不揮発性記憶装置読み出し手段１２、電源供給装置１４から構成されている。また、ワイヤードリモコン制御装置３は、ワイヤードリモコン不揮発性記憶装置３２、ワイヤードリモコン現地設定装置３３から構成されている。
【００１７】
以上のように構成された空気調和機のメンテナンスシステムについて、以下その動作、作用を説明する。
【００１８】
まず、ワイヤードリモコン制御装置交換等のメンテナンス時、設定情報再設定装置１を交換前のワイヤードリモコン制御装置３に接続することで、電源供給装置１４はワイヤードリモコン不揮発性記憶装置３２に対して電源を供給する。
【００１９】
次に設定情報再設定装置１は不揮発性記憶装置読み出し手段１２にて、ワイヤードリモコン制御装置３にはんだ付けされているワイヤードリモコン不揮発性記憶装置３２からワイヤードリモコンアドレス等の現地設定情報の読み出しを行い、読み出したワイヤードリモコンアドレス等の現地設定情報を再設定不揮発性記憶装置１３に書き込みを行う。
【００２０】
書き込みが完了した後、設定情報再設定装置１を交換前のワイヤードリモコン制御装置３から取り外し、交換後のワイヤードリモコン制御装置３に接続する。設定情報再設定装置１を交換後のワイヤードリモコン制御装置３に接続することで、電源供給装置１４はワイヤードリモコン不揮発性記憶装置３２に対して電源を供給する。
【００２１】
次に、設定情報再設定装置１は不揮発性記憶装置書き込み手段１１にて、再設定不揮発性記憶装置１３に書き込まれているワイヤードリモコンアドレス等の現地設定情報をワイヤードリモコン制御装置３にはんだ付けされているワイヤードリモコン不揮発性記憶装置３２に書き込みを行う。
【００２２】
以上のように、本実施の形態においては、設定情報再設定装置をワイヤードリモコンに接続するだけで、低コストで、複数ユニット間通信を複雑化させることなく、ワイヤードリモコンアドレス等の現地設定情報を再設定することができる。
【００２３】
さらには、ワイヤードリモコン制御装置時、室内機と接続する必要がないことから、ワイヤードリモコン、室内機の制御装置を同時交換する際にも、確実にワイヤードリモコンアドレス等の現地設定情報を再設定することができる。
【００２４】
（実施の形態２）
図２は、本発明の第２の実施形態における空気調和機のメンテナンスシステムのシステム構成図を示すものである。なお、実施の形態１で説明した部分については同じ符号を用い説明を省略する。
【００２５】
現地設定装置１５は現地設置状況に合った運転を行うようにワイヤードリモコンアドレス等の現地設定を行い、不揮発性記憶装置書き込み手段１１にて、設定された現地設定情報をワイヤードリモコン不揮発性記憶装置３２に書き込みを行う。
【００２６】
以上のように、本実施の形態においては、ワイヤードリモコン制御装置のワイヤードリモコン現地設定装置が不要となり、更なる低コスト化が実現できる。
【産業上の利用可能性】
【００２７】
以上のように、本発明の空気調和機のメンテナンスシステムは、交換するワイヤードリモコン制御装置を室内機に接続することなく、設定情報再設定装置にて交換前のワイヤードリモコン制御装置から現地設定内容を読み出し、読み出した現地設定内容をワイヤードリモコン交換後の制御装置に現地設定内容の書き込みを行うことで、低コストで、複数ユニット間通信を複雑化させることなく、ワイヤードリモコンアドレス等の現地設定情報を再設定することができる。さらには、ワイヤードリモコン制御装置時、室内機と接続する
必要がないことから、ワイヤードリモコン、室内機の制御装置を同時交換する際にも、確実にワイヤードリモコンアドレス等の現地設定情報を再設定することができる。
【符号の説明】
【００２８】
１  設定情報再設定装置
１１  不揮発性記憶装置書き込み手段
１２  不揮発性記憶装置読み出し手段
１３  再設定不揮発性記憶装置
１４  電源供給装置
１５  現地設定装置
３  ワイヤードリモコン制御装置
３２  ワイヤードリモコン不揮発性記憶装置
３３  ワイヤードリモコン現地設定装置
【図１】
2012242033.tif 000003
【図２】
2012242033.tif 000004
【図３】
2012242033.tif 000005